(57)【要約】【課題】利用者がデータ放送に関する操作をした場合にのみ、データ放送の状態のメッセージを告知することが可能なデジタル放送受信装置を提供する。【解決手段】放送波を受信するデジタル放送波受信部、放送波からデジタル信号を復号し映像・音声・データのビットストリームを分離するＤＥＭＵＸ部、映像音声を復号する映像音声復号部、マルチメディアデータを復号するデータ復号部、データ復号部の状態を管理するデータ放送状態管理部、利用者による受像機操作を制御する操作制御部、受像機に出力する映像音声、データ、データ復号状態を制御する出力制御部を備え、前記データ放送状態管理部は、操作制御部によりデータに関する操作が行われた場合にデータ復号状態を出力することを特徴とする。【選択図】図１
2005039574.tif 000002
【特許請求の範囲】
【請求項１】
放送波を受信するデジタル放送波受信部、放送波からデジタル信号を復号し映像・音声・データのビットストリームを分離するＤＥＭＵＸ部、映像音声を復号する映像音声復号部、マルチメディアデータを復号するデータ復号部、データ復号部の状態を管理するデータ放送状態管理部、利用者による受像機操作を制御する操作制御部、受像機に出力する映像音声、データ、データ復号状態を制御する出力制御部を備え、前記データ放送状態管理部は、操作制御部によりデータに関する操作が行われた場合にデータ復号状態を出力することを特徴とするデジタル放送受信装置。
【発明の詳細な説明】
【技術分野】
【０００１】
本発明は、ＢＳデジタル放送およびＣＳデジタル放送、地上デジタル放送により配信される映像・音声・データを多重化したビットストリームを受信し、映像音声および各種データを出力するデジタル放送受信装置およびデジタル放送受信方法に関する。
【背景技術】
【０００２】
ＢＳデジタル放送およびＣＳデジタル放送、地上デジタルにおいては、映像・音声・データを多重化したＭＰＥＧ２−ＴＳストリームにより、映像音声とマルチメディアデータをＡＲＩＢにより既定される方式により多重化伝送する。マルチメディアデータはＡＲＩＢＳＴＤ−Ｂ２４で既定されるデータカルーセル方式により伝送され、データ放送と呼ばれるマルチメディアデータを使用した処理を行う。データカルーセル方式は映像音声に比べて動作可能になるまでに一定の時間を要する。そのため、利用者がチャンネル選択の操作をしてからデータの取得が完了するまでの間、もしくはデータ放送の動作が可能になるまでの間、利用者に対してメッセージを表示することにより利用者がデータ放送の動作を待つことが可能としている。
【０００３】
図３に従来のデジタル放送受信装置の構成を示す。利用者のチャンネル操作により操作制御部２５より放送受信部２１とＤＥＭＵＸ部２２を制御して、データ復号部がマルチメディアデータの取得が完了するまで、あるいはデータ放送の動作が可能となるまで、データ復号状態管理が表示制御部を通して利用者に対してメッセージを出力する（例えば、特許文献１参照）。
【特許文献１】特開２００２−５１３２５号公報
【発明の開示】
【発明が解決しようとする課題】
【０００４】
しかしながら、上記従来のデジタル放送受信装置では、実際の放送においてはデータが画面に表示されずに動作している場合など、データ放送を利用者に意識させない放送が多数行われている。利用者がデータ放送を意識していない場合は、前記のメッセージは不要であるだけでなく、メッセージが重複した部分の映像が見えなくなるデメリットがあった。
【課題を解決するための手段】
【０００５】
上記問題を解決するために、本発明の請求項１に係るデジタル放送受信装置は、放送波を受信するデジタル放送波受信部、放送波からデジタル信号を復号し映像・音声・データのビットストリームを分離するＤＥＭＵＸ部、映像音声を復号する映像音声復号部、マルチメディアデータを復号し、データ放送の処理を行うデータ復号部、データ復号部の状態を管理するデータ放送状態管理部、利用者による受像機操作を制御する操作制御部、受像機に出力する映像音声、データ、データ復号状態を制御する出力制御部を備え、前記データ放送状態管理部は、操作制御部によりデータに関する操作が行われた場合にデータ復号状態を出力することを特徴とする。
【０００６】
従って、利用者がチャンネル選択の操作を行った場合、データ放送の状態がデータ放送状態管理部へ送られる。利用者がデータ放送の操作を行った場合にのみ、データ放送状態を表示制御部より出力することにより、利用者が不要なデータ放送状態のメッセージを見る必要がなくなり、さらにメッセージと映像の重畳もなくなる。
【発明の効果】
【０００７】
上述したように本発明によれば、利用者がデータ放送に関する操作をした場合にのみ、前記データ放送状態管理部により表示制御部を通してデータ放送の状態のメッセージが表示される。これにより利用者がデータ放送の操作をしていない時はデータ放送の状態に関する不要なメッセージが表示されず、メッセージとの重畳箇所の映像が見えない不都合もなくなる。
【発明を実施するための最良の形態】
【０００８】
図１に本発明の実施の形態に係るデジタル放送受信装置の構成を示す。デジタル放送受信装置は、ＢＳデジタル放送もしくはＣＳデジタル放送、地上デジタル放送の放送波を受信するデジタル放送波受信部１１、放送波からＭＰＥＧ２−ＴＳを抽出・分離するＤＥＭＵＸ部１２、映像音声復号部１３、マルチメディアデータを復号し、データ放送の処理を行うデータ復号部１４、利用者のリモコン操作によるチャンネル選択操作およびデータ放送の操作を制御管理する操作制御部１５、データ復号部の復号状態を管理して利用者に対するメッセージ表示を行うデータ放送状態管理部１６、受像機に出力する映像音声、画像を制御する表示制御部１７より構成される。
【０００９】
上述のデジタル放送受信装置の構成例は、ＡＲＩＢＳＴＤ−Ｂ２１により既定されるＢＳデジタル放送用受信装置の基本的な構成に、データ復号状態管理１６を追加した構成となっており、さらに前記データ放送状態管理部１６は、操作制御部よりデータ放送に関する操作の情報を受けており、この点が、本発明のデジタル放送受信装置の構成上の主たる特徴である。
【００１０】
次に図１を用いて、本発明の実施の形態に係るデジタル放送受信装置の動作を説明する。デジタル放送波受信部１１は、放送波を受信するとともに、ＭＰＥＧ２ＴＳを抽出分離し、これをＤＥＭＵＸ部１２に送出する。ＤＥＭＵＸ部１２では、抽出分離された映像音声信号と、マルチメディアデータ信号をそれぞれ映像音声復号部、データ復号部へ送出する。操作制御部１５は、利用者のチャンネル選択操作を受信して、デジタル放送波受信部１１とＤＥＭＵＸ部１２に送出して、利用者の希望するチャンネル受信を開始する。また、データ放送操作を受信してデータ放送状態管理部１６に送出する。
【００１１】
映像音声復号部１３は、入力された映像音声ビットストリームを復号し、復号された映像音声信号を表示出力制御部１７ヘ送り込み、受像機などの所定の外部映像表示装置へ映像音声信号を出力する。
【００１２】
データ復号部１４は、入力されたマルチメディアデータをデコードし、ＢＭＬ文書や静止画データ、イベントデータなど各種データをとして記憶して、それらを使用してデータ放送の処理を行い、表示制御部に対して表示データを送出する。
【００１３】
また、同時に、データ復号部１４は、マルチメディアデータの復号開始、マルチメディアデータの取得完了、最初のページの動作準備完了など、データ復号部の状態をデータ放送状態管理部１６へ送出する。
【００１４】
データ放送状態管理部１６は、利用者がデータ放送に関する操作を行った場合、操作制御部１５から情報を受け取り、その時のデータ復号部１４の状態を利用者へのメッセージとして表示制御部１７を通して表示する。
【００１５】
図２はデータ放送状態管理部１６によるデータ放送状態メッセージ処理シーケンスを示す。電源投入直後に、データ放送状態管理部１６の内部状態をデータ放送の初期状態に設定する（Ｓ０１）。
【００１６】
利用者がデータ放送のないチャンネルを視聴中にデータ放送に関するリモコン操作を行った場合（Ｓ０２）、内部状態は終了状態となっており（Ｓ０３）、「データ放送がありません」のメッセージを一定期間表示するように、表示制御部１７へ指示する。
【００１７】
次に、リモコン操作によりデータ放送が動作する別のチャネルへ選局を指示した場合の動作について、以下に説明する。操作制御部１５により、チャネルの変更が放送受信部１１、ＤＥＭＵＸ部１２に指示され、映像音声とマルチメディアデータのビットストリームが切り替えられる。データ復号部１４ではデータ放送の初期処理としてマルチメディアデータの復号と蓄積が開始され、同時にデータ放送状態管理部１６に準備状態を通知する。データ放送状態管理部１６では準備状態の通知を受け（Ｓ０６）、内部状態を準備状態に設定する（Ｓ０７）。
【００１８】
上記場合、利用者がデータ放送に関するリモコン操作を行った場合（Ｓ０２）、内部状態が準備状態なので（Ｓ０３）、「データ放送準備中」のメッセージの表示を開始する（Ｓ０４）。
【００１９】
最初のデータ放送を処理するマルチメディアデータの復号と蓄積完了しデータ放送が動作を開始したら、データ放送状態管理部１６にデータ復号部１４から動作状態が通知される（Ｓ０６）。内部状態を動作状態に設定し（Ｓ０７）、動作状態になったので（Ｓ０８）「データ放送準備中」のメッセージを消去する（Ｓ０９）。
【産業上の利用可能性】
【００２０】
本発明のデジタル放送受信装置は、利用者がデータ放送に関する操作をした場合にのみ、データ放送の状態のメッセージが表示されるため、データ放送を受信可能な全ての機器に適用できる。
【図面の簡単な説明】
【００２１】
【図１】本発明の実施の形態によるデジタル放送受信装置の構成を示すブロック構成図
【図２】データ放送状態管理部によるデータ放送状態メッセージ処理シーケンスを示す図
【図３】従来のデジタル放送受信装置の構成を示すブロック構成図
【符号の説明】
【００２２】
１１、２１    放送波受信部
１２、２２    ＤＥＭＵＸ部
１３、２３    映像音声復号部
１４、２４    データ復号部
１５、２５    操作制御部
１６、２６    データ放送状態管理部
１７、２７    表示制御部
【図１】
2005039574.tif 000003
【図２】
2005039574.tif 000004
【図３】
2005039574.tif 000005